(57)【要約】【課題】原子の中で、電子と陽子を結び付けているものは何か。宇宙ではどのようになっているか。中性子の中で、電子と陽子を結び付けているものは何か。電子と陽子は何を中心に回転するのか。電子ニュートリノとは何か。【解決手段】電子のラブが作る磁気の光子が陽子のラブを引いている。陽子のラブが作る磁気の光子が電子のラブを引いている。同じエネルギーで引き合っている。中性子が電子のラブと陽子のラブを引いている。中性子の電子のラブと陽子のラブは同じ磁気の光子のエネルギーで引き合っている。電子ニュートリノとは、電子のラブが公転していた高エネルギーの軌道が放出したものである。公転軌道には自転軌道がクロス回転しているから、スピンは１／２です。【選択図】図５
2006067798.tif 000002
【特許請求の範囲】
【請求項１】
原子の中で、電子と陽子の間に働く力は何か。
本発明者は、２００５年６月８日提出した２００５−１９８０５６において、次のように記しました。電子のラブが１自転してできる磁気の光子のエネルギーは８×１０−３８Ｊで、陽子のラブが１自転してできる磁気の光子のエネルギーは８×１０−３８Ｊです。電子のラブが１秒間自転してできる磁気の光子のエネルギーは８×１０−１４Ｊで、陽子のラブが１秒間自転してできる磁気の光子のエネルギーは８×１０−１４Ｊです。この磁気の光子のエネルギーが原子の中の、電子と陽子の間に働く力です。
【請求項２】
中性子の中で、電子と陽子の間に働く力は何か。
本発明者は、２００５年８月１日提出した特許願いの中の８番で、中性子はどのようになっているかを記しました。中性子の磁気モーメントを−０．１５とした場合、中性子の電子のラブの自転軌道は、０．９２９×１０−２２ｍで、中性子の陽子のラブの自転軌道は、４．６４５×１０−２６ｍです。この自転でできる磁気の光子が中性子の電子のラブと陽子のラブの間に働く力です。
【請求項３】
原子核の中で、陽子と中性子の間に働く力はなにか。
陽子のラブの自転によってできる磁気の光子と、中性子の電子のラブの自転のよってできる磁気の光子が、原子核の中で、陽子と中性子の間に働く力になっている。
【請求項４】
クオークは存在するか。
陽子は陽子のラブですから、陽子のラブの中にクオークは存在しない。
【請求項５】
グルーオンは存在するか。
クオークは無いので、グルーオンは存在しない。
【請求項６】
原子の中で、陽子のラブと電子のラブの自転方向はどのようであるか。陽子のラブと電子のラブの公転方向はどのようであるか。
原子の中で、陽子のラブが作る磁気の光子のエネルギーと、電子のラブが作る磁気の光子のエネルギーは同じで、互いに引き合っている。それで、磁気の光子の回転方向は同じです。よって、陽子のラブの自転方向と電子ラブの自転方向は同じです。
そして、陽子のラブの公転方向と電子ラブの公転方向は同じです。
【請求項７】
ラブが１自転してできる磁気の光子１個のエネルギーと、質量エネルギーと秒速の関係はどのようであるか。
地球において、ラブが１自転してできる磁気の光子１個のエネルギーは、８×１０−３８Ｊです。電子の場合、質量エネルギーは８×１０−１４Ｊです。秒速は４×１０６ｍです。定数をＫとします。
それで、質量エネルギー×秒速×Ｋ＝８×１０−３８Ｊ
８×１０−１４Ｊ×４×１０６ｍ×Ｋ＝８×１０−３８Ｊ
Ｋ＝２．５×１０−３１ｍ−１
ラブが１自転してできる磁気の光子１個のエネルギーと、質量エネルギーと秒速の関係は、ラブが１自転してできる磁気の光子１個のエネルギー＝質量エネルギー×秒速×２．５×１０−３１ｍ−１です。
【請求項８】
ラブが１公転してできる電気の光子１個のエネルギーと、質量エネルギーと秒速の関係はどのようであるか。
地球において、ラブが１公転してできる電気の光子１個のエネルギーは、８×１０−３０Ｊです。電子の場合、質量エネルギーは８×１０−１４Ｊです。秒速は４×１０６ｍです。定数をＫ´とします。
それで、質量エネルギー×秒速×Ｋ´＝８×１０−３０Ｊ
８×１０−１４Ｊ×４×１０６ｍ×Ｋ´＝８×１０−３０Ｊ
Ｋ´＝２．５×１０−２３ｍ−１
ラブが１公転してできる電気の光子１個のエネルギーと、質量エネルギーと秒速の関係は、ラブが１公転してできる電気の光子１個のエネルギー＝質量エネルギー×秒速×２．５×１０−２３ｍ−１です。
【請求項９】
電子のラブの秒速を４×１０６ｍとすると、陽子のラブの秒速はいくらか。
ラブが１自転してできる磁気の光子１個のエネルギーの場合、今まで考えていたように、陽子のラブの速度を２×１０３ｍとしますと、
１．５×１０−１０Ｊ×２×１０３ｍ×Ｋ＝８×１０−３８Ｊ
Ｋ＝２．６６５×１０−３１ｍ−１です。
それで、陽子のラブの秒速をｘとしますと、
１．５×１０−１０Ｊ×ｘ×２．５×１０−３１ｍ−１＝８×１０−３８Ｊ
ｘ＝２．１３３×１０３ｍです。
陽子のラブの秒速は、２．１３３×１０３ｍです。
【請求項１０】
電子のラブの質量エネルギーと電子のラブの秒速と、陽子のラブの質量エネルギーと陽子のラブの秒速はどのような関係であるか。陽子のラブの秒速はいくらか。電子のラブの質量エネルギー×電子のラブの秒速＝陽子のラブの質量エネルギー×陽子のラブの秒速  です。
電子のラブの秒速をＡとし、陽子のラブの秒速をＡ´とします。
８×１０−１４Ｊ×Ａ＝１．５×１０−１０Ｊ×Ａ´
Ａ：Ａ´＝１．５×１０−１０Ｊ：８×１０−１４Ｊ＝１．８７５×１０３：１
電子のラブの秒速を１．８７５×１０３としますと、陽子のラブの秒速は１です。
電子のラブの秒速を４×１０６ｍとしますと、陽子のラブの秒速は２．１３３×１０３ｍです。
【請求項１１】
１秒間にできる磁気の光子のエネルギーの式はどれ位か。
１秒間にできる磁気の光子のエネルギー＝ラブが１自転してできる磁気の光子のエネルギー×１秒間の自転数＝８×１０−３８Ｊ×秒速÷（３．１４×軌道）＝定数÷軌道
電子のラブの場合。
８×１０−３８Ｊ×秒速÷（３．１４×軌道）＝８×１０−３８Ｊ×４×１０６ｍ÷（３．１４×軌道）＝１０−３１Ｊ・ｍ÷軌道
陽子のラブの場合。
８×１０−３８Ｊ×秒速÷（３．１４×軌道）＝８×１０−３８Ｊ×２．１３３×１０３ｍ÷（３．１４×軌道）＝５．４３４×１０−３５Ｊ・ｍ÷軌道
電子のラブの場合、１秒間にできる磁気の光子のエネルギーの式は、１０−３１Ｊ・ｍ÷軌道  です。
陽子のラブの場合、１秒間にできる磁気の光子のエネルギーの式は、５．４３４×１０−３５Ｊ・ｍ÷軌道  です。
【請求項１２】
１秒間にできる電気の光子のエネルギーの式はどれ位か。
１秒間にできる電気の光子のエネルギー＝１公転でできる電気の光子のエネルギー×１秒間の公転数＝８×１０−３０Ｊ×秒速÷（３．１４×軌道）＝定数÷軌道
電子のラブの場合。
８×１０−３０Ｊ×秒速÷（３．１４×軌道）＝８×１０−３０Ｊ×４×１０６ｍ÷（３．１４×軌）＝１０−２３Ｊ・ｍ÷軌道
陽子のラブの場合。
８×１０−３０Ｊ×秒速÷（３．１４×軌道）＝８×１０−３０Ｊ×２．１３３×１０３ｍ÷（３．１４×軌道）＝５．４３４×１０−２７Ｊ・ｍ÷軌道
電子のラブの場合、１秒間にできる電気の光子のエネルギーの式は、１０−２３Ｊ・ｍ÷軌道  です。
陽子のラブの場合、１秒間にできる電気の光子のエネルギーの式は、５．４３４×１０−２７Ｊ・ｍ÷軌道  です。
１秒間にできる電気の光子のエネルギーの式＝１秒間にできる磁気の光子のエネルギーの式×１０８
以上のことをまとめると次のようになる。中性子の核磁気モーメントが−０．１５の場合。
2006067798.tif 000010
2006067798.tif 000011
【請求項１３】
原子の中の、電子のラブと陽子のラブはどれ位の力によって引かれているか。図１
電子のラブは自転し、１自転で８×１０−３８Ｊ、１秒間に８×１０−１４Ｊの磁気の光子である引力を作っている。この引力により陽子のラブは引かれる。
陽子のラブは自転し、１自転で８×１０−３８Ｊ、１秒間に８×１０−１４Ｊの磁気の光子である引力を作っている。この引力により電子のラブは引かれる。
【請求項１４】
中性子の中の、電子のラブと陽子のラブはどれ位の力によって引かれているか。図２
中性子の電子のラブは自転し、１秒間に１．０７６×１０−９Ｊの磁気の光子である引力を作っている。この引力により中性子の陽子のラブは引かれる。
中性子の陽子のラブは自転し、１秒間に１．１７×１０−９Ｊの磁気の光子である引力を作っている。この引力により中性子の電子のラブは引かれる。
【請求項１５】
原子核の中の、陽子と中性子は、どれ位の力によって引かれているか。図３
電子のラブと陽子のラブは自転し、１秒間に８×１０−１４Ｊの磁気の光子を作っている。中性子の電子のラブと陽子のラブは自転し、１秒間に１０−９Ｊの磁気の光子を作っている。この引力により、陽子のラブと電子のラブは中性子に引かれている。
【請求項１６】
原子の中の、電子のラブと陽子のラブは何の力によって回転しているか。中性子の中の、電子のラブと陽子のラブは何の力によって回転しているか。図４
電子のラブと陽子のラブは引力によって回転している。中央に、中性子である１０−９Ｊの磁気の光子の引力があるので、中性子を中心に回転している。
中性子の中の、電子のラブと陽子のラブは引力によって回転している。
【請求項１７】
中性子が崩壊する理由。
原子から中性子を無理に突き出すと、中性子は崩壊する。これは、突き出された大気中の磁気の光子のエネルギーと電気の光子のエネルギーが小さいためです。中性子が存在するためには、中性子の周囲の磁気の光子のエネルギーと電気の光子のエネルギーが、原子核の中のエネルギーである事が必要です。即ち、１０−９Ｊの磁気の光子のエネルギーでなければ存在できません。大気中の磁気の光子のエネルギーは、１０−９Ｊより小さいので中性子は崩壊します。
【請求項１８】
電子ニュートリノとは何か。図５
▲１▼太陽から出発する電子ニュートリノは、核融合の時できます。電子のラブの自転軌道が０．９２９×１０−２２ｍとなり、公転軌道が０．９２９×１０−１４ｍとなります。
核融合の前は、電子のラブの公転軌道は１．２５×１０−１０ｍです。この電子のラブの公転軌道は電子のラブが公転しているので、特別高エネルギーの軌道です。この電子のラブが公転する軌道が、核融合の時、排斥します。この排斥した電子のラブが公転した軌道がニュートリノです。
電子ニュートリノである放出した高エネルギーの電子のラブの公転軌道には、電子のラブの自転軌道も着いているので、スピンは１／２です。
又、陽子のラブが公転していた公転軌道も排斥します。これもニュートリノです。
核融合反応によって、中性子ができる時、排斥するのは、電子のラブが公転していた軌道である電子ニュートリノと、陽子のラブが公転していた軌道であるニュートリノと、電子のラブの公転によってできた電気の光子と、陽子のラブの公転によってできた電気の光子と、電子のラブの自転によってできた磁気の光子と、陽子のラブの自転によってできた磁気の光子です。
即ち、電子のニュートリノは電子のラブの自転軌道と公転軌道が一緒に放出したものです。
▲２▼水素原子を崩壊する時、電子のラブと陽子のラブが放出します。この時、電子のラブの公転軌道も放出します。この放出した電子のラブの公転軌道は電子のニュートリノです。陽子のラブの公転軌道も放出します。この放出した陽子のラブの公転軌道は陽子のニュートリノです。
ニュートリノはラブの公転軌道＋ラブの自転軌道が放出したものです。
水素原子の崩壊によって、電子のラブと陽子のラブが放出する時、放出するのは、電子のラブが公転していた軌道である電子ニュートリノと、陽子のラブが公転していた軌道であるニュートリノと、電子のラブの公転によってできた電気の光子と、陽子のラブの公転によってできた電気の光子と、電子のラブの自転によってできた磁気の光子と、陽子のラブの自転によってできた磁気の光子です。
【請求項１９】
中性子が崩壊する時、何が放出するか。図６
中性子が崩壊する時、電子のラブと陽子のラブは外に放出します。そして、電子のラブの公転軌道＋自転軌道と、陽子のラブの公転軌道＋自転軌道も放出します。放出した電子のラブの公転軌道＋自転軌道と、陽子のラブの公転軌道＋自転軌道が中性子から放出するニュートリノです。
又、中性子が崩壊する時、中性子の電子のラブと陽子のラブの自転でできた磁気の光子と、電子のラブと陽子のラブの公転でできた電気の光子が放出します。
中性子の電子のラブの公転軌道は、原子の電子のラブの公転軌道の、
０．９２９×１０−１４ｍ÷（１．２５×１０−１０ｍ）＝７．９×１０−５倍なので、エネルギーは、７．９×１０−５分の１です。
エネルギーは、１÷（７．９×１０−５）＝１．２６×１０４倍です。
１．２６×１０４倍のエネルギーのニュートリノと、磁気の光子と、電気の光子が放出します。
【請求項２０】
その軌道において１秒間にできる光子のエネルギー×軌道  は、１回転の運動量ではなく、軌道エネルギーとします。
本発明者は、８月２７日に提出した特許の４番と５番において、本発明者の運動量は１回転の運動量です。と記した。
しかし、１回転の運動量は、１回転してできるエネルギー×軌道です。
それで、本発明者の、その軌道において１秒間にできる光子のエネルギー×軌道  は、１回転の運動量ではありません。
それで、その軌道において１秒間にできる光子のエネルギー×軌道  は、軌道エネルギーとします。
その軌道において１秒間にできる光子のエネルギー＝１個の光子がその軌道を１秒間回転してできるエネルギー  です。
【請求項２１】
１秒間にできる磁気の光子１０８個のエネルギー＝１秒間にできる磁気の光子のエネルギー  です。
本発明者は、今まで、１秒間にできる磁気の光子のエネルギーを１秒間にできる磁気の光子１０８個のエネルギーとしています。これは、磁気の光子が１公転で１０８個でき、束に成っているので、磁気の光子１０８個のエネルギーと表現しています。
１秒間にできる磁気の光子１０８個のエネルギー＝１秒間にできる磁気の光子のエネルギーです。
それで、磁気の光子１０８個の１回転の運動量は、ラブが１秒間自転してできる磁気の光子のエネルギー×ラブの自転軌道  です。これは、磁気の光子の軌道×エネルギー＝軌道エネルギーです。
☆宇宙の星において、原子の中の、電子のラブと陽子のラブの引力はどのようになっているか。
【請求項２２】
宇宙の星において、１自転でできる磁気の光子１個のエネルギーと、ラブの質量エネルギーとラブの秒速の関係はどのようであるか。１公転でできる電気の光子１個のエネルギーと、ラブの質量エネルギーとラブの秒速の関係はどのようであるか。
地球では、１自転でできる磁気の光子のエネルギー＝ラブの質量エネルギー×ラブの秒速×２．５×１０−３１ｍ−１＝８×１０−３８Ｊです。
宇宙の星において、その星のエネルギーが、地球のエネルギーのＡ倍であるとする。
宇宙の星では、１自転でできる磁気の光子１個のエネルギー＝８×１０−３８Ｊ×Ａです。
それで、宇宙の星では、１自転でできる磁気の光子１個のエネルギー＝ラブの質量エネルギー×ラブの秒速×２．５×１０−３１ｍ−１×Ａです。
地球では、１公転でできる電気の光子１個のエネルギー＝ラブの質量エネルギー×ラブの秒速×２．５×１０−２３ｍ−１＝８×１０−３０Ｊです。
宇宙の星では、１公転でできる電気の光子１個のエネルギー＝８×１０−３０Ｊ×Ａです。
それで、宇宙の星では、１公転でできる電気の光子１個のエネルギー＝ラブの質量エネルギー×ラブの秒速×２．５×１０−２３ｍ−１×Ａです。
【請求項２３】
宇宙の星において、その星のエネルギーが、地球のエネルギーのＡ倍であるとすると、その場の陽子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、陽子のラブの軌道エネルギーと、１秒間にできる電気の光子のエネルギー×軌道と、１秒間にできる磁気の光子のエネルギー×軌道と、１秒間にできる電気の光子の運動量と、１秒間にできる磁気の光子の運動量はいくらか。
陽子のラブの秒速を２．１３３×１０３ｍとします。
陽子のラブの公転軌道は、地球では、６．６７×１０−１４ｍです。
宇宙の星では、６．６７×１０−１４ｍ÷Ａです。
陽子のラブの自転軌道は、地球では、６．６７×１０−２２ｍです。
宇宙の星では、６．６７×１０−２２ｍ÷Ａです。
陽子のラブの１秒間の公転数は、地球では、２．１３３×１０３ｍ÷（３．１４×６．６７×１０−１４ｍ）＝１０１６回ですから、宇宙の星では、１０１６回×Ａです。
陽子のラブの１秒間の自転数は、地球では、２．１３３×１０３ｍ÷（３．１４×６．６７×１０−２２ｍ）＝１０２４回ですから、宇宙の星では、１０２４回×Ａです。
陽子のラブが１公転でできる電気の光子のエネルギーは、地球では、８×１０−３０Ｊですから、宇宙の星では、８×１０−３０Ｊ×Ａです。
陽子のラブが１自転でできる磁気の光子のエネルギーは、地球では、８×１０−３８Ｊですから、宇宙の星では、８×１０−３８Ｊ×Ａです。
陽子のラブが１秒間公転してできる電気の光子のエネルギーは、地球では、８×１０−３０Ｊ×１０１６回＝８×１０−１４Ｊですから、宇宙の星では、８×１０−３０Ｊ×Ａ×１０１６回×Ａ＝８×１０−１４Ｊ×Ａ２です。
陽子のラブが１秒間自転してできる磁気の光子のエネルギーは、地球では、８×１０−３８Ｊ×１０２４回＝８×１０−１４Ｊですから、宇宙の星では、８×１０−３８Ｊ×Ａ×１０２４回×Ａ＝８×１０−１４Ｊ×Ａ２です。
陽子のラブの軌道エネルギーは、地球では、１秒間のエネルギー×公転軌道＝１．５×１０−１０Ｊ×６．６７×１０−１４ｍ＝１０−２３Ｊ・ｍですから、宇宙の星では、１．５×１０−１０Ｊ×Ａ２×６．６７×１０−１４ｍ÷Ａ＝１０−２３Ｊ・ｍ×Ａです。
陽子のラブが１秒間公転してできる電気の光子のエネルギー×公転軌道  は、地球では、１秒間のエネルギー×公転軌道＝８×１０−１４Ｊ×６．６７×１０−１４ｍ＝５．３３６×１０−２７Ｊ・ｍですから、宇宙の星では、８×１０−１４Ｊ×Ａ２×６．６７×１０−１４ｍ÷Ａ＝５．３３６×１０−２７Ｊ・ｍ×Ａです。
陽子のラブが１秒間自転してできる磁気の光子のエネルギー×自転軌道  は、地球では、１秒間のエネルギー×公転軌道＝８×１０−１４Ｊ×６．６７×１０−２２ｍ＝５．３３６×１０−３５Ｊ・ｍですから、宇宙の星では、８×１０−１４Ｊ×Ａ２×６．６７×１０−２２ｍ÷Ａ＝５．３３６×１０−３５Ｊ・ｍ×Ａです。
１秒間にできる電気の光子の運動量は、地球では、陽子のラブが１秒間公転してできる電気の光子のエネルギー×ラブの秒速＝８×１０−１４Ｊ×２．１３３×１０３ｍ＝１．７×１０−１０Ｊ・ｍですから、宇宙の星では、８×１０−１４Ｊ×Ａ２×２．１３３×１０３ｍ＝１．７×１０−１０Ｊ・ｍ×Ａ２です。
１秒間にできる磁気の光子の運動量は、地球では、陽子のラブが１秒間自転してできる磁気の光子のエネルギー×ラブの秒速＝８×１０−１４Ｊ×２．１３３×１０３ｍ＝１．７×１０−１０Ｊ・ｍですから、宇宙の星では、８×１０−１４Ｊ×Ａ２×２．１３３×１０３ｍ＝１．７×１０−１０Ｊ・ｍ×Ａ２です。
【請求項２４】
宇宙の星において、陽子のラブが作る磁気の光子のエネルギーと電気の光子のエネルギーと、電子のラブが作る磁気の光子のエネルギーと電気の光子のエネルギーを比較して理解できる事。
本発明者は、２００５年８月２７日に提出した特許願の１２番に、宇宙の星における、原子の電子のラブの様子を表にしました。その表と今回の、陽子のラブの様子の表を比較すると次のことが理解できます。
電子のラブが１自転でできる磁気の光子１個のエネルギー＝陽子のラブが１自転でできる磁気の光子１個のエネルギー＝８×１０−３８Ｊ×Ａ
電子のラブが１公転でできる電気の光子１個のエネルギー＝陽子のラブが１公転でできる電気の光子１個のエネルギー＝８×１０−３０Ｊ×Ａ
電子のラブの１秒間の自転数＝陽子のラブの１秒間の自転数＝１０２４×Ａ回
電子のラブの１秒間の公転数＝陽子のラブの１秒間の公転数＝１０１６×Ａ回
電子のラブが１秒間に作る磁気の光子のエネルギー＝陽子のラブが１秒間に作る磁気の光子のエネルギー＝８×１０−１４Ｊ×Ａ２
電子のラブが１秒間に作る電気の光子のエネルギー＝陽子のラブが１秒間に作る電気の光子のエネルギー＝８×１０−１４Ｊ×Ａ２
これらの事によって、宇宙の星においても、電子のラブが作る磁気の光子のエネルギーと、陽子のラブが作る磁気の光子のエネルギーは等しい事が理解できます。
電子のラブが作る電気の光子のエネルギーと、陽子のラブが作る電気の光子のエネルギーは等しい事が理解できます。
電子のラブと陽子のラブは同じ磁気の光子の引力で引き合っている。これが電子のラブと陽子のラブを結ぶ力です。
【請求項２５】
原子の中の、陽子のラブの公転数と、電子のラブの公転数は等しいのはなぜか。
電子のラブと陽子のラブは同じ磁気の光子の引力で引き合っている。これが電子のラブと陽子のラブを結ぶ力であるから、陽子のラブと電子のラブは、まるで同じ紐で結ばれた凧のように同じ方向に公転する。
それで、陽子のラブの公転数と、電子のラブの公転数は等しい。
陽子のラブの公転数と、電子のラブの公転数は等しい事によって、陽子のラブと電子のラブは引力で引かれている事が理解できる。
【請求項２６】
中性子はどのようになっているか。
本発明者は、２００５年６月８日に提出した特願２００５−１９８０５６の２２番で、中性子の陽子のラブと電子のラブはまるで、車の車軸と車輪のように自転し、公転します。と記しました。
２００５年８月１日に提出した特願２００５−２４６７１９の８番で、中性子の電子のラブの自転の大きさは０．９２９×１０２２ｍで、この中を陽子のラブは４．６４５×１０−２６ｍの軌道で自転している。と考えました。しかし、これは誤りです。
中性子は、電子のラブの公転は、０．９２９×１０−１４ｍです。陽子のラブの公転は、４．６４５×１０−１８ｍです。電子のラブの自転は、０．９２９×１０−２２ｍです。陽子のラブの公転は、４．６４５×１０−２６ｍです。
そして、電子のラブの自転で１秒間にできる磁気の光子のエネルギーは１．０７×１０−９Ｊです。陽子のラブの自転で１秒間にできる磁気の光子のエネルギーは１．１７×１０−９Ｊです。この引力で中性子の電子のラブと陽子のラブは引き合っている。
【発明の詳細な説明】
【技術分野】
【０００１】  本発明は、原子の中で働く力と、原子核の中で働く力と、中性子の中で働く力に関する。宇宙の星の、原子の中で働く力に関する。
【背景技術】
【０００２】  従来、陽子や中性子はクオークでできており、クオークとクオークの間にはグルーオンが存在すると考えられている。又、ウイークボソンが存在すると考えられている。
【発明の開示】
【発明が解決しようとする課題】
【０００３】１．原子の中で、電子と陽子の間に働く力は何か。
２．中性子の中で、電子と陽子の間に働く力は何か。
３．原子核の中で、陽子と中性子の間に働く力はなにか。
４．クオークは存在するか。
５．グルーオンは存在するか。
６．原子の中で、陽子のラブと電子のラブの自転方向はどのようであるか。陽子のラブと電子のラブの公転方向はどのようであるか。
７．ラブが１自転してできる磁気の光子１個のエネルギーと、質量エネルギーと秒速の関係はどのようであるか。
８．ラブが１公転してできる電気の光子１個のエネルギーと、質量エネルギーと秒速の関係はどのようであるか。
９．電子のラブの秒速を４×１０６ｍとすると、陽子のラブの秒速はいくらか。
１０．電子のラブの質量エネルギーと電子のラブの秒速と、陽子のラブの質量エネルギーと陽子のラブの秒速はどのような関係であるか。陽子のラブの秒速はいくらか。
１１．１秒間にできる磁気の光子のエネルギーの式はどれ位か。
１２．１秒間にできる電気の光子のエネルギーの式はどれ位か。
１３．原子の中の、電子のラブと陽子のラブはどれ位の力によって引かれているか。
１４．中性子の中の、電子のラブと陽子のラブはどれ位の力によって引かれているか。
１５．原子核の中の、陽子と中性子は、どれ位の力によって引かれているか。
１６．原子の中の、電子のラブと陽子のラブは何の力によって回転しているか。中性子の中の、電子のラブと陽子のラブは何の力によって回転しているか。
１７．中性子が崩壊する理由。
１８．電子ニュートリノとは何か。
１９．中性子が崩壊する時、何が放出するか。
２０．その軌道において１秒間にできる光子のエネルギー×軌道  は、１回転の運動量ではなく、軌道エネルギーとします。
２１．１秒間にできる磁気の光子１０８個のエネルギー＝１秒間にできる磁気の光子のエネルギー  です。
２２．宇宙の星において、１自転でできる磁気の光子１個のエネルギーと、ラブの質量エネルギーとラブの秒速の関係はどのようであるか。１公転でできる電気の光子１個のエネルギーと、ラブの質量エネルギーとラブの秒速の関係はどのようであるか。
２３．宇宙の星において、その星のエネルギーが、地球のエネルギーのＡ倍であるとすると、その場の陽子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、陽子のラブの軌道エネルギーと、１秒間にできる電気の光子のエネルギー×軌道と、１秒間にできる磁気の光子のエネルギー×軌道と、１秒間にできる電気の光子の運動量と、１秒間にできる磁気の光子の運動量はいくらか。
２４．宇宙の星において、陽子のラブが作る磁気の光子のエネルギーと電気の光子のエネルギーと、電子のラブが作る磁気の光子のエネルギーと電気の光子のエネルギーを比較して理解できる事。
２５．原子の中の、陽子のラブの公転数と、電子のラブの公転数が等しいのはなぜか。
２６．中性子はどのようになっているか。
【発明を解決するための手段】
【０００４】１．本発明者は磁気の光子は引力であると考えている。それで、電子のラブが作る磁気の光子は陽子のラブを引く力になり、陽子のラブが作る磁気の光子は電子のラブを引く力になり、同じ引力で結ばれていると考える。
１．ラブが１自転してできる磁気の光子と、質量エネルギーと速度との関係を計算によって求める。
１．ラブが１公転してできる電気の光子１個のエネルギーと、質量エネルギーと秒速の関係を計算により求める。
１．陽子のラブの秒速を、電子のラブの質量エネルギーと秒速と、陽子のラブの質量エネルギーから計算する。
１．１秒間にできる磁気の光子のエネルギーの式を計算により求める。
１．１秒間にできる電気の光子のエネルギーの式を計算により求める。
１．原子の中の、電子のラブと陽子のラブは１秒間に８×１０−１４Ｊの磁気の光子を作るので、この引力によって引かれている。
１．中性子の中の、電子のラブと陽子のラブが１秒間に作る磁気の光子のエネルギーを求める。
これが、中性子の中の、電子のラブと陽子のラブを結びつける引力になる。
１．原子核の中の、陽子と中性子は、陽子が作る磁気の光子と、中性子の電子のラブが作る磁気の光子のよって引かれている。
１．原子の中の、電子のラブと陽子のラブは遠心力と求心力によって回転している。
１．中性子が崩壊するのは、中性子は核融合の高エネルギーの場ででき、そのエネルギーを持っている。それで、低エネルギーの場では存在できない。中性子は低エネルギーの場で存在できる電子のラブと陽子のラブに崩壊する。
１．電子ニュートリノは、原子が陽子のラブと電子のラブに崩壊する時放出する電子のラブの公転軌道＋電子のラブの自転軌道であると考える。
１．中性子が崩壊する時、中性子の電子のラブが公転していた高エネルギーの公転軌道が放出する。これが電子のニュートリノです。電子のニュートリノである放出した高エネルギーの電子のラブの公転軌道には、電子のラブの自転軌道も着いているので、スピンは１／２です。
１．１回転の運動量は、１回転でできる光子のエネルギー×軌道ですから、１秒間にできる光子のエネルギー×軌道を軌道エネルギーとする。
１．本発明者は、今まで、１秒間にできる磁気の光子のエネルギーを１秒間にできる磁気の光子１０８個のエネルギーとしています。これは、磁気の光子は１公転で１０８個でき、束に成っているので、磁気の光子１０８個のエネルギーと表現しています。
１．宇宙の星では、１自転でできる磁気の光子１個のエネルギー＝８×１０−３８Ｊ×Ａです。それで、宇宙の星では、１自転でできる磁気の光子１個のエネルギー＝ラブの質量エネルギー×ラブの秒速×２．５×１０−３１ｍ−１×Ａです。
１．宇宙の星では、１公転でできる電気の光子１個のエネルギー＝８×１０−３０Ｊ×Ａです。それで、宇宙の星では、１公転でできる電気の光子１個のエネルギー＝ラブの質量エネルギー×ラブの秒速×２．５×１０−２３ｍ−１×Ａです。
１．宇宙の星の中の、原子の中で働く力に関しては、本発明者は、２００５年８月２７日に提出した特願の１２番に、星の中の原子の電子のラブについて記したので、今回は、陽子のラブについて記す。陽子のラブと電子のラブが作る磁気の光子について検討する。
【発明の実施態様】
【０００５】１．原子の中で、電子と陽子の間に働く力は何か。
本発明者は、２００５年６月８日提出した２００５−１９８０５６において、次のように記しました。電子のラブが１自転してできる磁気の光子のエネルギーは８×１０−３８Ｊで、陽子のラブが１自転してできる磁気の光子のエネルギーは８×１０−３８Ｊです。電子のラブが１秒間自転してできる磁気の光子のエネルギーは８×１０−１４Ｊで、陽子のラブが１秒間自転してできる磁気の光子のエネルギーは８×１０−１４Ｊです。この磁気の光子のエネルギーが原子の中の、電子と陽子の間に働く力です。
２．中性子の中で、電子と陽子の間に働く力は何か。
本発明者は、２００５年８月１日提出した特許願いの中の８番で、中性子はどのようになっているかを記しました。中性子の磁気モーメントを−０．１５とした場合、中性子の電子のラブの自転軌道は、０．９２９×１０−２２ｍで、中性子の陽子のラブの自転軌道は、４．６４５×１０−２６ｍです。この自転でできる磁気の光子が中性子の電子のラブと陽子のラブの間に働く力です。
３．原子核の中で、陽子と中性子の間に働く力はなにか。
陽子のラブの自転によってできる磁気の光子と、中性子の電子のラブの自転のよってできる磁気の光子が、原子核の中で、陽子と中性子の間に働く力になっている。
４．クオークは存在するか。
陽子は陽子のラブですから、陽子のラブの中にクオークは存在しない。
５．グルーオンは存在するか。
クオークは無いので、グルーオンは存在しない。
６．原子の中で、陽子のラブと電子のラブの自転方向はどのようであるか。陽子のラブと電子のラブの公転方向はどのようであるか。
原子の中で、陽子のラブが作る磁気の光子のエネルギーと、電子のラブが作る磁気の光子のエネルギーは同じで、互いに引き合っている。それで、磁気の光子の回転方向は同じです。よって、陽子のラブの自転方向と電子ラブの自転方向は同じです。
そして、陽子のラブの公転方向と電子ラブの公転方向は同じです。
７．ラブが１自転してできる磁気の光子１個のエネルギーと、質量エネルギーと秒速の関係はどのようであるか。
地球において、ラブが１自転してできる磁気の光子１個のエネルギーは、８×１０−３８Ｊです。電子の場合、質量エネルギーは８×１０−１４Ｊです。秒速は４×１０６ｍです。定数をＫとします。
それで、質量エネルギー×秒速×Ｋ＝８×１０−３８Ｊ
８×１０−１４Ｊ×４×１０６ｍ×Ｋ＝８×１０−３８Ｊ
Ｋ＝２．５×１０−３１ｍ−１
ラブが１自転してできる磁気の光子１個のエネルギーと、質量エネルギーと秒速の関係は、ラブが１自転してできる磁気の光子１個のエネルギー＝質量エネルギー×秒速×２．５×１０−３１ｍ−１です。
８．ラブが１公転してできる電気の光子１個のエネルギーと、質量エネルギーと秒速の関係はどのようであるか。
地球において、ラブが１公転してできる電気の光子１個のエネルギーは、８×１０−３０Ｊです。電子の場合、質量エネルギーは８×１０−１４Ｊです。秒速は４×１０６ｍです。定数をＫ´とします。
それで、質量エネルギー×秒速×Ｋ´＝８×１０−３０Ｊ
８×１０−１４Ｊ×４×１０６ｍ×Ｋ´＝８×１０−３０Ｊ
Ｋ´＝２．５×１０−２３ｍ−１
ラブが１公転してできる電気の光子１個のエネルギーと、質量エネルギーと秒速の関係は、ラブが１公転してできる電気の光子１個のエネルギー＝質量エネルギー×秒速×２．５×１０−２３ｍ−１です。
９．電子のラブの秒速を４×１０６ｍとすると、陽子のラブの秒速はいくらか。
ラブが１自転してできる磁気の光子１個のエネルギーの場合、今まで考えていたように、陽子のラブの速度を２×１０３ｍとしますと、
１．５×１０−１０Ｊ×２×１０３ｍ×Ｋ＝８×１０−３８Ｊ
Ｋ＝２．６６５×１０−３１ｍ−１です。
それで、陽子のラブの秒速をｘとしますと、
１．５×１０−１０Ｊ×ｘ×２．５×１０−３１ｍ−１＝８×１０−３８Ｊ
ｘ＝２．１３３×１０３ｍです。
陽子のラブの秒速は、２．１３３×１０３ｍです。
１０．電子のラブの質量エネルギーと電子のラブの秒速と、陽子のラブの質量エネルギーと陽子のラブの秒速はどのような関係であるか。陽子のラブの秒速はいくらか。
電子のラブの質量エネルギー×電子のラブの秒速＝陽子のラブの質量エネルギー×陽子のラブの秒速  です。
電子のラブの秒速をＡとし、陽子のラブの秒速をＡ´とします。
８×１０−１４Ｊ×Ａ＝１．５×１０−１０Ｊ×Ａ
Ａ：Ａ´＝１．５×１０−１０Ｊ：８×１０−１４Ｊ＝１．８７５×１０３：１
電子のラブの秒速を１．８７５×１０３としますと、陽子のラブの秒速は１です。
電子のラブの秒速を４×１０６ｍとしますと、陽子のラブの秒速は２．１３３×１０３ｍです。
１１．１秒間にできる磁気の光子のエネルギーの式はどれ位か。
１秒間にできる磁気の光子のエネルギー＝ラブが１自転してできる磁気の光子のエネルギー×１秒間の自転数＝８×１０−３８Ｊ×秒速÷（３．１４×軌道）＝定数÷軌道
電子のラブの場合。
８×１０−３８Ｊ×秒速÷（３．１４×軌道）＝８×１０−３８Ｊ×４×１０６ｍ÷（３．１４×軌道）＝１０−３１Ｊ・ｍ÷軌道
陽子のラブの場合。
８×１０−３８Ｊ×秒速÷（３．１４×軌道）＝８×１０−３８Ｊ×２．１３３×１０３ｍ÷（３．１４×軌道）＝５．４３４×１０−３５Ｊ・ｍ÷軌道
電子のラブの場合、１秒間にできる磁気の光子のエネルギーの式は、１０−３１Ｊ・ｍ÷軌道  です。
陽子のラブの場合、１秒間にできる磁気の光子のエネルギーの式は、５．４３４×１０−３５Ｊ・ｍ÷軌道  です。
１２．１秒間にできる電気の光子のエネルギーの式はどれ位か。
１秒間にできる電気の光子のエネルギー＝１公転でできる電気の光子のエネルギー×１秒間の公転数＝８×１０−３０Ｊ×秒速÷（３．１４×軌道）＝定数÷軌道
電子のラブの場合。
８×１０−３０Ｊ×秒速÷（３．１４×軌道）＝８×１０−３０Ｊ×４×１０６ｍ÷（３．１４×軌道）＝１０−２３Ｊ・ｍ÷軌道
陽子のラブの場合。
８×１０−３０Ｊ×秒速÷（３．１４×軌道）＝８×１０−３０Ｊ×２．１３３×１０３ｍ÷（３．１４×軌道）＝５．４３４×１０−２７Ｊ・ｍ÷軌道
電子のラブの場合、１秒間にできる電気の光子のエネルギーの式は、１０−２３Ｊ・ｍ÷軌道  です。
陽子のラブの場合、１秒間にできる電気の光子のエネルギーの式は、５．４３４×１０−２７Ｊ・ｍ÷軌道  です。
１秒間にできる電気の光子のエネルギーの式＝１秒間にできる磁気の光子のエネルギーの式×１０８
以上のことをまとめると次のようになる。中性子の核磁気モーメントが−０．１５の場合。
2006067798.tif 000003
2006067798.tif 000004
１３．原子の中の、電子のラブと陽子のラブはどれ位の力によって引かれているか。図１
電子のラブは自転し、１自転で８×１０−３８Ｊ、１秒間に８×１０−１４Ｊの磁気の光子である引力を作っている。この引力により陽子のラブは引かれる。
陽子のラブは自転し、１自転で８×１０−３８Ｊ、１秒間に８×１０−１４Ｊの磁気の光子である引力を作っている。この引力により電子のラブは引かれる。
１４．中性子の中の、電子のラブと陽子のラブはどれ位の力によって引かれているか。図２
中性子の電子のラブは自転し、１秒間に１．０７６×１０−９Ｊの磁気の光子である引力を作っている。この引力により中性子の陽子のラブは引かれる。
中性子の陽子のラブは自転し、１秒間に１．１７×１０−９Ｊの磁気の光子である引力を作っている。この引力により中性子の電子のラブは引かれる。
１５．原子核の中の、陽子と中性子は、どれ位の力によって引かれているか。図３
電子のラブと陽子のラブは自転し、１秒間に８×１０−１４Ｊの磁気の光子を作っている。中性子の電子のラブと陽子のラブは自転し、１秒間に１０−９Ｊの磁気の光子を作っている。この引力により、陽子のラブと電子のラブは中性子に引かれている。
１６．原子の中の、電子のラブと陽子のラブは何の力によって回転しているか。中性子の中の、電子のラブと陽子のラブは何の力によって回転しているか。図４
電子のラブと陽子のラブは引力によって回転している。中央に、中性子である１０−９Ｊの磁気の光子の引力があるので、中性子を中心に回転している。
中性子の中の、電子のラブと陽子のラブは引力によって回転している。
１７．中性子が崩壊する理由。
原子から中性子を無理に突き出すと、中性子は崩壊する。これは、突き出された大気中の磁気の光子のエネルギーと電気の光子のエネルギーが小さいためです。中性子が存在するためには、中性子の周囲の磁気の光子のエネルギーと電気の光子のエネルギーが、原子核の中のエネルギーである事が必要です。即ち、１０−９Ｊの磁気の光子のエネルギーでなければ存在できません。大気中の磁気の光子のエネルギーは、１０−９Ｊより小さいので中性子は崩壊します。
１８．電子ニュートリノとは何か。図５
▲１▼太陽から出発する電子ニュートリノは、核融合の時できます。電子のラブの自転軌道が０．９２９×１０−２２ｍとなり、公転軌道が０．９２９×１０−１４ｍとなります。
核融合の前は、電子のラブの公転軌道は１．２５×１０−１０ｍです。この電子のラブの公転軌道は電子のラブが公転しているので、特別高エネルギーの軌道です。この電子のラブが公転する軌道が、核融合の時、排斥します。この排斥した電子のラブが公転した軌道がニュートリノです。
電子ニュートリノである放出した高エネルギーの電子のラブの公転軌道には、電子のラブの自転軌道も着いているので、スピンは１／２です。
又、陽子のラブが公転していた公転軌道も排斥します。これもニュートリノです。
核融合反応によって、中性子ができる時、排斥するのは、電子のラブが公転していた軌道である電子ニュートリノと、陽子のラブが公転していた軌道であるニュートリノと、電子のラブの公転によってできた電気の光子と、陽子のラブの公転によってできた電気の光子と、電子のラブの自転によってできた磁気の光子と、陽子のラブの自転によってできた磁気の光子です。
即ち、電子のニュートリノは電子のラブの自転軌道と公転軌道が一緒に放出したものです。
▲２▼水素原子を崩壊する時、電子のラブと陽子のラブが放出します。この時、電子のラブの公転軌道も放出します。この放出した電子のラブの公転軌道は電子のニュートリノです。陽子のラブの公転軌道も放出します。この放出した陽子のラブの公転軌道は陽子のニュートリノです。
ニュートリノはラブの公転軌道＋ラブの自転軌道が放出したものです。
水素原子の崩壊によって、電子のラブと陽子のラブが放出する時、放出するのは、電子のラブが公転していた軌道である電子ニュートリノと、陽子のラブが公転していた軌道であるニュートリノと、電子のラブの公転によってできた電気の光子と、陽子のラブの公転によってできた電気の光子と、電子のラブの自転によってできた磁気の光子と、陽子のラブの自転によってできた磁気の光子です。
１９．中性子が崩壊する時、何が放出するか。図６
中性子が崩壊する時、電子のラブと陽子のラブは外に放出します。そして、電子のラブの公転軌道＋自転軌道と、陽子のラブの公転軌道＋自転軌道も放出します。放出した電子のラブの公転軌道＋自転軌道と、陽子のラブの公転軌道＋自転軌道が中性子から放出するニュートリノです。
又、中性子が崩壊する時、中性子の電子のラブと陽子のラブの自転でできた磁気の光子と、電子のラブと陽子のラブの公転でできた電気の光子が放出します。
中性子の電子のラブの公転軌道は、原子の電子のラブの公転軌道の、
０．９２９×１０−１４ｍ÷（１．２５×１０−１０ｍ）＝７．９×１０−５倍なので、エネルギーは、７．９×１０−５分の１です。
エネルギーは、１÷（７．９×１０−５）＝１．２６×１０４倍です。
１．２６×１０４倍のエネルギーのニュートリノと、磁気の光子と、電気の光子が放出します。
２０．その軌道において１秒間にできる光子のエネルギー×軌道  は、１回転の運動量ではなく、軌道エネルギーとします。
本発明者は、８月２７日に提出した特許の４番と５番において、本発明者の運動量は１回転の運動量です。と記した。
しかし、１回転の運動量は、１回転してできるエネルギー×軌道です。
それで、本発明者の、その軌道において１秒間にできる光子のエネルギー×軌道  は、１回転の運動量ではありません。
それで、その軌道において１秒間にできる光子のエネルギー×軌道  は、軌道エネルギーとします。
その軌道において１秒間にできる光子のエネルギー＝１個の光子がその軌道を１秒間回転してできるエネルギー  です。
２１．１秒間にできる磁気の光子１０８個のエネルギー＝１秒間にできる磁気の光子のエネルギー  です。
本発明者は、今まで、１秒間にできる磁気の光子のエネルギーを１秒間にできる磁気の光子１０８個のエネルギーとしています。これは、磁気の光子が１公転で１０８個でき、束に成っているので、磁気の光子１０８個のエネルギーと表現しています。
１秒間にできる磁気の光子１０８個のエネルギー＝１秒間にできる磁気の光子のエネルギーです。
それで、磁気の光子１０８個の１回転の運動量は、ラブが１秒間自転してできる磁気の光子のエネルギー×ラブの自転軌道  です。これは、磁気の光子の軌道×エネルギー＝軌道エネルギーです。
☆宇宙の星において、原子の中の、電子のラブと陽子のラブの引力はどのようになっているか。
２２．宇宙の星において、１自転でできる磁気の光子１個のエネルギーと、ラブの質量エネルギーとラブの秒速の関係はどのようであるか。１公転でできる電気の光子１個のエネルギーと、ラブの質量エネルギーとラブの秒速の関係はどのようであるか。
地球では、１自転でできる磁気の光子のエネルギー＝ラブの質量エネルギー×ラブの秒速×２．５×１０−３１ｍ−１＝８×１０−３８Ｊです。
宇宙の星において、その星のエネルギーが、地球のエネルギーのＡ倍であるとする。
宇宙の星では、１自転でできる磁気の光子１個のエネルギー＝８×１０−３８Ｊ×Ａです。
それで、宇宙の星では、１自転でできる磁気の光子１個のエネルギー＝ラブの質量エネルギー×ラブの秒速×２．５×１０−３１ｍ−１×Ａです。
地球では、１公転でできる電気の光子１個のエネルギー＝ラブの質量エネルギー×ラブの秒速×２．５×１０−２３ｍ−１＝８×１０−３０Ｊです。
宇宙の星では、１公転でできる電気の光子１個のエネルギー＝８×１０−３０Ｊ×Ａです。
それで、宇宙の星では、１公転でできる電気の光子１個のエネルギー＝ラブの質量エネルギー×ラブの秒速×２．５×１０−２３ｍ−１×Ａです。
２３．宇宙の星において、その星のエネルギーが、地球のエネルギーのＡ倍であるとすると、その場の陽子のラブの、公転軌道と、自転軌道と、１秒間の公転数と、１秒間の自転数と、１公転でできる電気の光子１個のエネルギーと、１自転でできる磁気の光子１個のエネルギーと、１秒間にできる電気の光子のエネルギーと、１秒間にできる磁気の光子のエネルギーと、陽子のラブの軌道エネルギーと、１秒間にできる電気の光子のエネルギー×軌道と、１秒間にできる磁気の光子のエネルギー×軌道と、１秒間にできる電気の光子の運動量と、１秒間にできる磁気の光子の運動量はいくらか。
陽子のラブの秒速を２．１３３×１０３ｍとします。
陽子のラブの公転軌道は、地球では、６．６７×１０−１４ｍです。
宇宙の星では、６．６７×１０−１４ｍ÷Ａです。
陽子のラブの自転軌道は、地球では、６．６７×１０−２２ｍです。
宇宙の星では、６．６７×１０−２２ｍ÷Ａです。
陽子のラブの１秒間の公転数は、地球では、２．１３３×１０３ｍ÷（３．１４×６．６７×１０−１４ｍ）＝１０１６回ですから、宇宙の星では、１０１６回×Ａです。
陽子のラブの１秒間の自転数は、地球では、２．１３３×１０３ｍ÷（３．１４×６．６７×１０−２２ｍ）＝１０２４回ですから、宇宙の星では、１０２４回×Ａです。
陽子のラブが１公転でできる電気の光子のエネルギーは、地球では、８×１０−３０Ｊですから、宇宙の星では、８×１０−３０Ｊ×Ａです。
陽子のラブが１自転でできる磁気の光子のエネルギーは、地球では、８×１０−３８Ｊですから、宇宙の星では、８×１０−３８Ｊ×Ａです。
陽子のラブが１秒間公転してできる電気の光子のエネルギーは、地球では、８×１０−３０Ｊ×１０１６回＝８×１０−１４Ｊですから、宇宙の星では、８×１０−３０Ｊ×Ａ×１０１６回×Ａ＝８×１０−１４Ｊ×Ａ２です。
陽子のラブが１秒間自転してできる磁気の光子のエネルギーは、地球では、８×１０−３８Ｊ×１０２４回＝８×１０−１４Ｊですから、宇宙の星では、８×１０−３８Ｊ×Ａ×１０２４回×Ａ＝８×１０−１４Ｊ×Ａ２です。
陽子のラブの軌道エネルギーは、地球では、１秒間のエネルギー×公転軌道＝１．５×１０−１０Ｊ×６．６７×１０−１４ｍ＝１０−２３Ｊ・ｍですから、宇宙の星では、１．５×１０−１０Ｊ×Ａ２×６．６７×１０−１４ｍ÷Ａ＝１０−２３Ｊ・ｍ×Ａです。
陽子のラブが１秒間公転してできる電気の光子のエネルギー×公転軌道  は、地球では、１秒間のエネルギー×公転軌道＝８×１０−１４Ｊ×６．６７×１０−１４ｍ＝５．３３６×１０−２７Ｊ・ｍですから、宇宙の星では、８×１０−１４Ｊ×Ａ２×６．６７×１０−１４ｍ÷Ａ＝５．３３６×１０−２７Ｊ・ｍ×Ａです。
陽子のラブが１秒間自転してできる磁気の光子のエネルギー×自転軌道  は、地球では、１秒間のエネルギー×公転軌道＝８×１０−１４Ｊ×６．６７×１０−２２ｍ＝５．３３６×１０−３５Ｊ・ｍですから、宇宙の星では、８×１０−１４Ｊ×Ａ２×６．６７×１０−２２ｍ÷Ａ＝５．３３６×１０−３５Ｊ・ｍ×Ａです。
１秒間にできる電気の光子の運動量は、地球では、陽子のラブが１秒間公転してできる電気の光子のエネルギー×ラブの秒速＝８×１０−１４Ｊ×２．１３３×１０３ｍ＝１．７×１０−１０Ｊ・ｍですから、宇宙の星では、８×１０−１４Ｊ×Ａ２×２．１３３×１０３ｍ＝１．７×１０−１０Ｊ・ｍ×Ａ２です。
１秒間にできる磁気の光子の運動量は、地球では、陽子のラブが１秒間自転してできる磁気の光子のエネルギー×ラブの秒速＝８×１０−１４Ｊ×２．１３３×１０３ｍ＝１．７×１０−１０Ｊ・ｍですから、宇宙の星では、８×１０−１４Ｊ×Ａ２×２．１３３×１０３ｍ＝１．７×１０−１０Ｊ・ｍ×Ａ２です。
これを表にします。
宇宙の星の陽子のラブの状態です。
2006067798.tif 000005
2006067798.tif 000006
2006067798.tif 000007
2006067798.tif 000008
2006067798.tif 000009
２４．宇宙の星において、陽子のラブが作る磁気の光子のエネルギーと電気の光子のエネルギーと、電子のラブが作る磁気の光子のエネルギーと電気の光子のエネルギーを比較して理解できる事。
本発明者は、２００５年８月２７日に提出した特許願の１２番に、宇宙の星における、原子の電子のラブの様子を表にしました。その表と今回の、陽子のラブの様子の表を比較すると次のことが理解できます。
電子のラブが１自転でできる磁気の光子１個のエネルギー＝陽子のラブが１自転でできる磁気の光子１個のエネルギー＝８×１０−３８Ｊ×Ａ
電子のラブが１公転でできる電気の光子１個のエネルギー＝陽子のラブが１公転でできる電気の光子１個のエネルギー＝８×１０−３０Ｊ×Ａ
電子のラブの１秒間の自転数＝陽子のラブの１秒間の自転数＝１０２４×Ａ回
電子のラブの１秒間の公転数＝陽子のラブの１秒間の公転数＝１０１６×Ａ回
電子のラブが１秒間に作る磁気の光子のエネルギー＝陽子のラブが１秒間に作る磁気の光子のエネルギー＝８×１０−１４Ｊ×Ａ２
電子のラブが１秒間に作る電気の光子のエネルギー＝陽子のラブが１秒間に作る電気の光子のエネルギー＝８×１０−１４Ｊ×Ａ２
これらの事によって、宇宙の星においても、電子のラブが作る磁気の光子のエネルギーと、陽子のラブが作る磁気の光子のエネルギーは等しい事が理解できます。
電子のラブが作る電気の光子のエネルギーと、陽子のラブが作る電気の光子のエネルギーは等しい事が理解できます。
電子のラブと陽子のラブは同じ磁気の光子の引力で引き合っている。これが電子のラブと陽子のラブを結ぶ力です。
２５．原子の中の、陽子のラブの公転数と、電子のラブの公転数は等しいのはなぜか。
電子のラブと陽子のラブは同じ磁気の光子の引力で引き合っている。これが電子のラブと陽子のラブを結ぶ力であるから、陽子のラブと電子のラブは、まるで同じ紐で結ばれた凧のように同じ方向に公転する。
それで、陽子のラブの公転数と、電子のラブの公転数は等しい。
陽子のラブの公転数と、電子のラブの公転数は等しい事によって、陽子のラブと電子のラブは引力で引かれている事が理解できる。
２６．中性子はどのようになっているか。
本発明者は、２００５年６月８日に提出した特願２００５−１９８０５６の２２番で、中性子の陽子のラブと電子のラブはまるで、車の車軸と車輪のように自転し、公転します。と記しました。２００５年８月１日に提出した特願２００５−２４６７１９の８番で、中性子の電子のラブの自転の大きさは０．９２９×１０２２ｍで、この中を陽子のラブは４．６４５×１０−２６ｍの軌道で自転している。と考えました。しかし、これは誤りです。
中性子は、電子のラブの公転は、０．９２９×１０−１４ｍです。陽子のラブの公転は、４．６４５×１０−１８ｍです。電子のラブの自転は、０．９２９×１０−２２ｍです。陽子のラブの公転は、４．６４５×１０−２６ｍです。
そして、電子のラブの自転で１秒間にできる磁気の光子のエネルギーは１．０７×１０−９Ｊです。陽子のラブの自転で１秒間にできる磁気の光子のエネルギーは１．１７×１０−９Ｊです。この引力で中性子の電子のラブと陽子のラブは引き合っている。
【発明の効果】
【０００６】１．電子のラブが１自転で作る磁気の光子１個のエネルギーと、陽子のラブが１自転で作る磁気の光子１個のエネルギーは等しい。
電子のラブが１秒間に作る磁気の光子のエネルギーと、陽子のラブが１秒間に作る磁気の光子１個のエネルギーは等しい。この等しい磁気の光子のエネルギーによって、電子のラブと陽子のラブは引き合っていることが理解できた。
２．中性子の場合。核磁気モーメントが−０．１５の中性子の、電子のラブの自転軌道と陽子のラブの自転軌道から、中性子の電子のラブと陽子のラブは、同じ磁気の光子のエネルギーで引き合っている事が理解できた。
３．クオークは存在しない事が解った。
４．グルーオンは存在しない事が解った。
５．陽子のラブの自転方向と、電子のラブの自転方向は同じである事が理解できた。
陽子のラブの公転方向と、電子のラブの公転方向は同じである事が理解できた。
６．ラブが１自転してできる磁気の光子１個のエネルギー＝ラブの質量エネルギー×秒速×２．５×１０−３１ｍ−１  である事が理解できた。
７．ラブが１公転してできる電気の光子１個のエネルギー＝ラブの質量エネルギー×秒速×２．５×１０−２３ｍ−１  である事が理解できた。
８．電子のラブの秒速を４×１０６ｍとしますと、陽子のラブの秒速は２．１３３×１０３ｍである事が理解できた。
９．電子のラブの場合、１秒間にできる磁気の光子のエネルギーの式は、１０−３１Ｊ・ｍ÷軌道である事が理解できた。
陽子のラブの場合、１秒間にできる磁気の光子のエネルギーの式は、５．４３４×１０−３５Ｊ・ｍ÷軌道  である事が理解できた。
１０．電子のラブの場合、１秒間にできる電気の光子のエネルギーの式は、１０−２３Ｊ・ｍ÷軌道  である事が理解できた。
陽子のラブの場合、１秒間にできる電気の光子のエネルギーの式は、５．４３４×１０−２７Ｊ・ｍ÷軌道  である事が理解できた。
１１．電子ニュートリノは電子のラブの公転軌道であることが理解できた。
１２．宇宙の星においても、電子のラブが作る磁気の光子のエネルギーと、陽子のラブが作る磁気の光子のエネルギーは等しい事が理解できた。
電子のラブが作る電気の光子のエネルギーと、陽子のラブが作る電気の光子のエネルギーは等しい事が理解できた。
１３．宇宙の星においても、電子のラブと陽子のラブは同じ磁気の光子の引力で引き合っている。これが電子のラブと陽子のラブを結ぶ力であることが理解できた。
１４．電子のラブと陽子のラブは同じ磁気の光子の引力で引き合っているので、公転数が等しいことが理解できた。
【図面の簡単な説明】
【０００７】
【図１】原子の中の、電子のラブと陽子のラブは、１自転で８×１０−３８Ｊ、１秒間に８×１０−１４Ｊ、の磁気の光子を作っている。この磁気の光子が引力に成って、電子のラブと陽子のラブを結び付けている。
【図２】中性子の電子のラブは自転し、１自転で８×１０−３８Ｊ、１秒間に１．０７６×１０−９Ｊの磁気の光子である引力を作っている。この引力により中性子の陽子のラブは引かれる。中性子の陽子のラブは自転し、１自転で８×１０−３８Ｊ、１秒間に１．１７×１０−９Ｊの磁気の光子である引力を作っている。この引力により中性子の電子のラブは引かれる。
【図３】陽子のラブが自転し、１秒間に８×１０−１４Ｊの磁気の光子を作っている。中性子の電子のラブは自転し、１秒間に１．０７６×１０−９Ｊの磁気の光子を作っている。この引力により、陽子のラブと電子のラブは中性子に引かれている。
【図４】電子のラブと陽子のラブは引力によって回転している。中央に、中性子である１０−９Ｊの磁気の光子の引力があるので、中性子を中心に回転している。
【図５】電子のラブの公転軌道は１．２５×１０−１０ｍです。この電子のラブの公転軌道は電子のラブが公転しているので、特別高エネルギーの軌道です。この電子のラブが公転する軌道が、核融合の時、排斥します。この排斥した、電子のラブが公転した軌道がニュートリノです。公転軌道には自転軌道も着いています。
【図６】中性子が崩壊する時、電子のラブと陽子のラブは外に放出します。そして、電子のラブの公転軌道＋自転軌道と、陽子のラブの公転軌道＋自転軌道も放出します。放出した電子のラブの公転軌道＋自転軌道と、陽子のラブの公転軌道＋自転軌道が中性子から放出するニュートリノです。
【符号の説明】
【０００８】１  電子のラブ
２  陽子のラブ
３  自転軌道
４  公転軌道
５  中性子の電子のラブ
６  中性子の陽子のラブ
７  電子ニュートリノ
８  陽子ニュートリノ
９  中性子の電子ニュートリノ
１０  中性子の陽子ニュートリノ
【図１】
2006067798.tif 000012
【図２】
2006067798.tif 000013
【図３】
2006067798.tif 000014
【図４】
2006067798.tif 000015
【図５】
2006067798.tif 000016
【図６】
2006067798.tif 000017